(57)【要約】【課題】ユーザの使い勝手を向上させることができるトイレシステム及びトイレ装置を提供する。【解決手段】トイレ装置と、前記トイレ装置と通信する発電式のリモコン装置と、を備えるトイレシステムであって、前記リモコン装置は、操作部と、前記リモコン装置が所定位置から離脱された場合には、前記トイレ装置の設定を前記操作部の操作により設定変更可能な管理者モードに移行する制御部と、を備え、前記トイレ装置は、前記管理者モードにおいて、前記トイレ装置若しくは前記リモコン装置に対する所定の動作が実行されるまで又は前記操作部の操作が行われない時間が所定時間経過するまでに行われた前記操作部の操作に応じた設定内容にトイレ装置の設定を変更する、ことを特徴とするトイレシステムである。【選択図】図１
2019052495.tif 000002
【特許請求の範囲】
【請求項１】
トイレ装置と、前記トイレ装置と通信する発電式のリモコン装置と、を備えるトイレシステムであって、
前記リモコン装置は、
操作部と、
前記リモコン装置が所定位置から離脱された場合には、前記トイレ装置の設定を前記操作部の操作により設定変更可能な管理者モードに移行する制御部と、
を備え、
前記トイレ装置は、
前記管理者モードにおいて、前記トイレ装置若しくは前記リモコン装置に対する所定の動作が実行されるまで又は前記操作部の操作が行われない時間が所定時間経過するまでの間に、行われた前記操作部の操作に応じた設定内容に前記トイレ装置の設定を変更する、
ことを特徴とするトイレシステム。
【請求項２】
前記操作部の操作に応じた設定内容とは、操作される前記操作部の種類によらず任意の前記操作部が操作された回数に応じた設定内容である、請求項１に記載のトイレシステム。
【請求項３】
前記操作部が操作されることにより発電する発電部を更に備え、
前記制御部は、前記発電部で発電された電力を動作電源として、前記操作部の操作に応じた信号を前記トイレ装置に送信することで前記トイレ装置の設定を変更する、請求項２に記載のトイレシステム。
【請求項４】
前記リモコン装置はスイッチを備え、
前記制御部は、前記スイッチがオン状態からオフ状態に移行した場合には、前記リモコン装置が所定位置から離脱したと判定する、請求項１〜３のいずれか一項に記載のトイレシステム。
【請求項５】
リモコン装置と通信可能なトイレ装置であって、
前記トイレ装置は、前記リモコン装置の操作部の操作に応じた設定内容に前記トイレ装置の設定を変更可能な管理者モードにおいて、前記トイレ装置若しくは前記リモコン装置に対する所定の動作が実行されるまで又は前記操作部の操作が行われない時間が所定時間経過するまでの間に、行われた前記操作部の操作に応じた設定内容に前記トイレ装置の設定を変更することを特徴とするトイレ装置。
【発明の詳細な説明】
【技術分野】
【０００１】
本発明は、トイレシステム及びトイレ装置に関する。
【背景技術】
【０００２】
下記特許文献１には、操作ボタンの押下操作で発電するリモコン装置を備えたトイレシステムが開示されている。このトイレシステムでは、操作ボタンに対して複数回押下操作が行われると、通常コードから特殊モードに切り替えられる。この特殊モードとは、管理者や施工者などの特定の者のみが温度調整や流量調整等の設定を変更する場合に使用されるモードである。
【先行技術文献】
【特許文献】
【０００３】
【特許文献１】特開２０１５−１９０２３７号公報
【発明の概要】
【発明が解決しようとする課題】
【０００４】
しかしながら、特許文献１に記載のトイレシステムでは、特殊モードに切り替えられてから所定時間が経過するまでに操作ボタンにより上記設定の変更が行われない場合には、特殊モードが解除されてしまい、ユーザにとって使い勝手が悪い。
【０００５】
本発明は、このような事情に鑑みてなされたもので、その目的は、ユーザの使い勝手を向上させたトイレシステム及びトイレ装置を提供することである。
【課題を解決するための手段】
【０００６】
本発明の一態様は、トイレ装置と、前記トイレ装置と通信する発電式のリモコン装置と、を備えるトイレシステムであって、前記リモコン装置は、操作部と、前記リモコン装置が所定位置から離脱された場合には、前記トイレ装置の設定を前記操作部の操作により設定変更可能な管理者モードに移行する制御部と、を備え、前記トイレ装置は、前記管理者モードにおいて、前記トイレ装置若しくは前記リモコン装置に対する所定の動作が実行されるまで又は前記操作部の操作が行われない時間が所定時間経過するまでの間に、行われた前記操作部の操作に応じた設定内容に前記トイレ装置の設定を変更する、ことを特徴とするトイレシステムである。
【０００７】
本発明の一態様は、上述のトイレシステムであって、前記操作部の操作に応じた設定内容とは、操作される前記操作部の種類によらず任意の前記操作部が操作された回数に応じた設定内容である。
【０００８】
本発明の一態様は、上述のトイレシステムであって、前記操作部が操作されることにより発電する発電部を更に備え、前記制御部は、前記発電部で発電された電力を動作電源として、前記操作部の操作に応じた信号を前記トイレ装置に送信することで前記トイレ装置の設定を変更する。
【０００９】
本発明の一態様は、上述のトイレシステムであって、前記リモコン装置はスイッチを備え、前記制御部は、前記スイッチがオン状態からオフ状態に移行した場合には、前記リモコン装置が所定位置から離脱したと判定する。
【００１０】
本発明の一態様は、リモコン装置と通信可能なトイレ装置であって、前記トイレ装置は、前記リモコン装置の操作部の操作に応じた設定内容に前記トイレ装置の設定を変更可能な管理者モードにおいて、前記トイレ装置若しくは前記リモコン装置に対する所定の動作が実行されるまで又は前記操作部の操作が行われない時間が所定時間経過するまでの間に、行われた前記操作部の操作に応じた設定内容に前記トイレ装置の設定を変更することを特徴とするトイレ装置である。
【発明の効果】
【００１１】
以上説明したように、本発明によれば、ユーザの使い勝手を向上させることができる。
【図面の簡単な説明】
【００１２】
【図１】本発明の一実施形態に係るトイレシステムＡの概略構成の一例を示す図である。
【図２】本発明の一実施形態に係るリモコン装置２の前面を示す図である。
【図３】本発明の一実施形態に係るリモコン装置２の後面を示す図である。
【図４】本発明の一実施形態に係るリモコン装置２の概略構成の一例を示す図である。
【図５】本発明の一実施形態に係る操作ボタン８の横断図であり、図２のＡ−Ａ線に沿う断面図である。
【図６】本発明の一実施形態に係る操作ボタン８の縦断面図であり、図２のＢ−Ｂ線に沿う断面図である。
【図７】本発明の一実施形態に係るリンク機構１２の概略構成の一例を示す平面図である。
【図８】本発明の一実施形態に係る操作ボタン８が押下操作されていない状態のリンク機構１２の断面図である。
【図９】本発明の一実施形態に係る操作ボタン８が押下操作されたときの状態のリンク機構１２の断面図である。
【図１０】本発明の一実施形態に係る便座装置３が記憶する各操作回数に応じた設定内容の一例をテーブル形式で示す図である。
【図１１】本発明の一実施形態に係るトイレシステムＡの全体動作の流れを示す図である。
【図１２】本発明の一実施形態に係る通常モードにおけるトイレシステムＡの動作の流れを示すシーケンス図である。
【図１３】本発明の一実施形態に係る管理者モードにおけるトイレシステムＡの動作の流れを示すシーケンス図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１４】
以下、本発明の一実施形態に係るトイレシステムＡを、図面を用いて説明する。
【００１５】
図１は、本発明の一実施形態に係るトイレシステムＡの概略構成の一例を示す図である。図１に示すように、トイレシステムＡは、トイレ装置１及びリモコン装置２を備える。
【００１６】
トイレ装置１は、便座装置３及び便器本体４を備える。
【００１７】
便座装置３は、リモコン装置２と無線通信することで情報を送受する。この無線通信とは、例えば、電波による通信である。
便座装置３は、トイレルーム内に設けられた便器本体４上に設置されている。便座装置３は、便座ボックス５、便蓋６及び便座７を備える。
【００１８】
便座ボックス５は、便器本体４の後部に設置されている。
便蓋６及び便座７は、便座ボックス５に対して上下方向に回動可能に支持されている。
【００１９】
リモコン装置２は、トイレルームの所定位置に着脱可能に設置されている。例えば、この所定位置とは、例えば、トイレルームの壁面である。このリモコン装置２は、便座装置３と電波通信する。このリモコン装置２は、発電式のリモコンである。
【００２０】
図２は、本発明の一実施形態に係るリモコン装置２の前面を示す図である。図３は、本発明の一実施形態に係るリモコン装置２の後面を示す図である。
【００２１】
図２，図３に示すように、リモコン装置２は、複数の操作ボタン８、及びモード切替スイッチ９を備える。なお、操作ボタン８は、本発明の「操作部」の一例である。
【００２２】
複数の操作ボタン８は、便座装置３の各機能に対応するボタンであって、リモコン装置２の前面に設けられている。ユーザは、所望の機能（例えば、便器洗浄や衛生洗浄の吐水）に対応した操作ボタン８を操作することで、便座装置３に対して所望の機能を実行させることができる。例えば、操作ボタン８は、押ボタンである。本実施形態では、リモコン装置２の前面には、操作ボタン８として、おしり洗浄ボタン８ａ、ビデ洗浄ボタン８ｂ、洗浄調節ボタン８ｃ、乾燥ボタン８ｄ、及び停止ボタン８ｅがそれぞれ設けられている。
【００２３】
おしり洗浄ボタン８ａは、トイレ装置１に対しておしり洗浄を開始させるためのボタンである。
ビデ洗浄ボタン８ｂは、トイレ装置１に対してビデ洗浄を開始させるためのボタンである。
洗浄調節ボタン８ｃは、おしり洗浄又はビデ洗浄の吐水の強さを調整するためのボタンである。
乾燥ボタン８ｄは、トイレ装置１に対して局部乾燥を開始させるためのボタンである。
停止ボタン８ｅは、トイレ装置１に対しておしり洗浄、ビデ洗浄、又は局部乾燥を停止させるためのボタンである。
【００２４】
モード切替スイッチ９（スイッチ）は、リモコン装置２の後面に設けられている。このモード切替スイッチ９は、通常モードと管理者モードとを切り替えるスイッチである。モード切替スイッチ９は、リモコン装置２がトイレルームの壁面に取り付けられるとオン状態となる。これにより、リモコン装置２が通常モードとなる。一方、リモコン装置２がトイレルームの壁面から取り外されるとオフ状態となる。これにより、リモコン装置２が管理者モードとなる。
【００２５】
通常モードとは、操作ボタン８ごとに設定される機能（例えば、ビデ洗浄、おしり洗浄、局部乾燥）をトイレ装置１に実行させるためのモードである。一方、管理者モードとは、トイレ装置１の設定を操作ボタン８の操作により設定変更可能なモードであって、例えば、管理者や施工者などの特定の者のみが使用するモードである。例えば、トイレ装置１の設定とは、便座７の設定温度や、ビデ洗浄及びビデ洗浄のシャワーの設定温度である。したがって、管理者モードの場合に、ユーザにより操作ボタン８が操作されたとしても、トイレ装置１ではビデ洗浄やおしり洗浄等の洗浄機能及び局部乾燥等の乾燥機能は実行されない。
【００２６】
通常、リモコン装置２は壁面に取り付けられ、通常モードで動作することになる。一方、管理者等がトイレ装置１の設定を変更する場合には、リモコン装置２は管理者により壁面から取り外され、管理者モードで動作することになる。
【００２７】
以下に、本発明の一実施形態に係るリモコン装置２の構成について具体的に説明する。図４は、本発明の一実施形態に係るリモコン装置２の概略構成の一例を示す図である。
図４に示すように、リモコン装置２は、複数の操作検出部１０（１０ａ〜１０ｅ）、発電部１１、リンク機構１２、及び制御部１３を更に備える。
【００２８】
操作検出部１０は、複数の操作ボタン８ごとに設けられている。すなわち、操作検出部１０は、複数の操作ボタン８のそれぞれに対応して設けられている。また、複数の操作検出部１０は、制御部１３にそれぞれ電気的に接続されている。
この操作検出部１０は、対応する操作ボタン８が操作されたこと（操作ボタン８への操作）を検出する。例えば、操作ボタン８が押ボタンである場合には、操作検出部１０は、対応する操作ボタン８への押下操作を検出する。
【００２９】
本実施形態では、操作検出部１０ａがおしり洗浄ボタン（操作ボタン）８ａに対応して設けられ、操作検出部１０ｂがビデ洗浄ボタン（操作ボタン）８ｂに対応して設けられ、操作検出部１０ｃが洗浄調節ボタン（操作ボタン）８ｃに対応して設けられ、操作検出部１０ｄが乾燥ボタン（操作ボタン）８ｄに対応して設けられ、操作検出部１０ｅが停止ボタン（操作ボタン）８ｅに対応して設けられている。
【００３０】
操作検出部１０は、例えば、プッシュボタンスイッチである。以下に、操作検出部１０における、操作ボタン８に対する押下操作の検出方法について、図５，６を用いて説明する。図５は、本発明の一実施形態に係る操作ボタン８の横断図（図２のＡ−Ａ線断面図）である。図６は、本発明の一実施形態に係る操作ボタン８の縦断面図（図２のＢ−Ｂ線断面図）である。
【００３１】
図５に示すように、操作ボタン８は、リモコン装置２の前面側のケースである上蓋部４０に設けられたボタン孔４１に挿着されている。これにより、操作ボタン８は、ボタン孔４１の軸方向（リモコン装置２の厚さ方向）に対して移動可能となる。
ボタン孔４１の周りには、リング状の補強部１４が形成されている。
【００３２】
操作ボタン８は、被押圧部２１、カム部２５、及びスイッチ押圧部２６を備えている。
【００３３】
被押圧部２１は、例えば、円板状である。この被押圧部２１の上面は、ユーザに押圧される部分である。また、被押圧部２１の周縁には、上面と反対側に向かって垂れ下がった縁取り部２３が設けられている。
【００３４】
縁取り部２３は、リング状であって、その外径寸法が補強部１４の内径寸法に略等しい。この縁取り部２３は、補強部１４に対して摺動可能である。縁取り部２３の下端は、外方に折れ曲がってフランジ２４を構成する。
【００３５】
フランジ２４は、補強部１４の下端に当接して、操作ボタン８が上蓋部４０から外れないようにしている。
【００３６】
カム部２５は、被押圧部２１の裏面において、スイッチ押圧部２６を挟むように一対で突設されている。
カム部２５は、例えば板状であって、一端が被押圧部２１に接続され、他端である自由端には両角に傾斜面が形成されている（図６参照）。この傾斜面が図６に示す第１カム部２７である。
【００３７】
スイッチ押圧部２６は、被押圧部２１の裏面の略中央において、被押圧部２１の上面と反対側に向かって突設している。
スイッチ押圧部２６は、操作検出部１０に対向して設けられており、操作ボタン８が押下操作された場合に操作検出部１０を押圧する。これにより、操作検出部１０は、オン状態となり、操作ボタン８に対する押下操作を検出することになる。なお、スイッチ押圧部２６の形状は、操作検出部１０を押圧できるような任意の形状に変更可能である。
【００３８】
図４に戻り、発電部１１は、各操作ボタン８の少なくともいずれかが操作されることにより発電する。具体的には、発電部１１は、操作ボタン８に対する操作力を電力に変換することで発電する。例えば、発電部１１は、電磁誘導により上記操作力を電力に変換してもよいし、圧電素子を用いて上記操作力を電力に変換してもよい。この発電部１１により発電された電力は、リモコン装置２の動作電源として用いられる。
【００３９】
リンク機構１２は、各操作ボタン８と発電部１１との間に設けられている。
このリンク機構１２は、各操作ボタン８に対する操作力を発電部１１に伝達する。このリンク機構１２は、複数の操作ボタン８のうち、少なくとも一つの操作ボタン８が押下操作された場合には、その押下操作の操作力を発電部１１に伝達することができる。
【００４０】
以下に、本実施形態に係るリンク機構１２の具体的な構成について、図７〜９を用いて説明する。図７は、本発明の一実施形態に係るリンク機構１２の概略構成の一例を示す平面図である。図８は、本発明の一実施形態に係る操作ボタン８が押下操作されていない状態のリンク機構１２の断面図である。図９は、本発明の一実施形態に係る操作ボタン８が押下操作されたときの状態のリンク機構１２の断面図である。
【００４１】
リンク機構１２は、本体部１０１及び圧縮コイルバネ１１５を備える。
本体部１０１は、例えば、ラダー形状である。本体部１０１は、縦木部１１０及び横木部１３０を備える。
【００４２】
縦木部１１０は、長板状の部材である。この縦木部１１０は、本体部１０１に一対で設けられている。
【００４３】
縦木部１１０には、スライド部１１１、被ガイド部１１２、及び第２カム部１２０が形成されている。
【００４４】
スライド部１１１は、縦木部１１０の下面に形成されており、リモコン装置２の後面側のケースである下蓋部４２に対して接触且つ摺動可能に構成されている。スライド部１１１は、リモコン装置２の操作ボタン８に対向する位置に形成されていることが好ましい。なお、縦木部１１０の下面を全面的に下蓋部４２に接触させると接触抵抗が増大するため、本実施形態では、スライド部１１１のみが下蓋部４２に接触し、スライド部１１１以外の下面は、下蓋部４２から離隔している。
【００４５】
被ガイド部１１２は、下蓋部４２から離隔した下面の一部に形成された板状部材である。この被ガイド部１１２は、下蓋部４２に形成されているガイドレール３１に挟み込まれている。これにより、本体部１０１は、被ガイド部１１２がガイドレール３１に案内されることにより、下蓋部４２に対してリモコン装置２の長手方向に摺動する。
【００４６】
圧縮コイルバネ１１５は、縦木部１１０の自由端と下蓋部４２との間に設けられている。この圧縮コイルバネ１１５は、縦木部１１０に対して移動方向とは反対方向に付勢する。
【００４７】
第２カム部１２０は、縦木部１１０の外方側面に形成されている。この第２カム部１２０は、発電部１１の可動部１１ｂに対向している。
【００４８】
横木部１３０は、一対の縦木部１１０に複数懸架されている。本実施形態では、横木部１３０は、操作ボタン８の第１カム部２７に対向する棒状のローラである。
【００４９】
次に、本実施形態に係る操作ボタン８の押下操作による発電方法について説明する。
ユーザにより操作ボタン８が押下操作されると、操作ボタン８の第１カム部２７である傾斜面又は曲面が本体部１０１の横木部１３０を押圧する。そして横木部１３０が押圧されると、この押圧力が第１カム部２７から縦木部１１０に伝達され、本体部１０１はガイドレール３１に案内されながら、下蓋部４２の面に沿って移動する（図８における右側の方向に移動する）。この本体部１０１の移動に伴い、第２カム部１２０が発電部１１の可動部１１ｂに作用して、その発電部１１の可動部１１ｂを変位させる。これにより、発電部１１が発電する。なお、操作ボタン８の押下操作が開放されると、圧縮コイルバネ１１５の付勢力により縦木部１１０が元の位置に戻される。そして、縦木部１１０が元の位置に戻ることにより、縦木部１１０が第１カム部２７を押圧して操作ボタン８を持ち上げる。なお、操作ボタン８は、操作検出部１０に内蔵されている圧縮コイルバネの付勢力（押下方向と反対方向に付勢する力）によって持ち上げられてもよい。
【００５０】
次に、本実施形態に係る制御部１３について説明する。
制御部１３は、操作ボタン８が操作されると、発電部１１で発電された電力を動作電源として起動する。そして、制御部１３は、操作検出部１０から検出信号を取得すると、その検出信号に基づいて、複数の操作ボタン８の中から押下操作された操作ボタン８を判別する。例えば、制御部１３は、検出信号を送信した操作検出部１０を特定し、その特定した操作検出部１０の検出対象である操作ボタン８を特定することで押下操作された操作ボタン８を判別する。
【００５１】
そして、制御部１３は、モード切替スイッチ９がオン状態である場合、すなわち通常モードである場合には、押下操作された操作ボタン８に応じた操作信号をトイレ装置１に無線送信する。これにより、制御部１３は、トイレ装置１に対して、操作ボタン８ごとに設定される機能（例えば、ビデ洗浄、おしり洗浄、局部乾燥）をトイレ装置１に実行させことができる。
【００５２】
一方、制御部１３は、モード切替スイッチ９がオフ状態である場合、すなわち管理者モードである場合には、任意の操作ボタン８が操作されたことをきっかけとして、設定信号をトイレ装置１に無線送信する。この設定信号は、トイレ装置１の設定を変更するための信号であって、操作信号とは異なる信号である。この設定信号は、例えば、操作ボタン８が操作されるごとにトイレ装置１に無線送信される。
【００５３】
次に、本実施形態に係るトイレ装置１における便座装置３について、説明する。
便座装置３は、制御部１３から操作信号を無線通信で取得した場合には、その操作信号に応じた機能を実行する。
【００５４】
また、便座装置３は、制御部１３から設定信号を無線で取得した場合には、その設定信号に基づいてトイレ装置１の設定を変更する。より具体的には、便座装置３は、制御部１３からの設定信号をカウントし、そのカウント数に応じた設定内容に設定変更する。すなわち、便座装置３は、管理者モードにおいて、任意の操作ボタン８が操作された回数に応じた設定内容に、トイレ装置１の設定を変更する。
【００５５】
例えば、便座装置３は、各操作回数に応じた設定内容を記憶している。図１０は、本発明の一実施形態に係る便座装置３が記憶する各操作回数に応じた設定内容の一例をテーブル形式で示す図である。
【００５６】
図１０に示すように、例えば、操作回数が１回である場合には、設定内容として便座７の温度を「高」に設定する内容がその操作回数と関連づけられている。操作回数が２回である場合には、設定内容として便座７の温度を「中」に設定する内容がその操作回数と関連づけられている。操作回数が３回である場合には、設定内容として便座７の温度を「低」に設定する内容がその操作回数と関連づけられている。操作回数が４回である場合には、設定内容として便座７の温度を「切」に設定する内容がその操作回数と関連づけられている。
【００５７】
ここで、便座装置３は、以下の（１）〜（３）の少なくともいずれかの方法により設定信号のカウント数を確定する。このカウント数の確定とは、設定変更の確定を意味する。
【００５８】
（１）便座装置３は、トイレ装置１に対する所定の動作が実行された場合に、カウント数を現在のカウント数に確定し、その確定したカウント数に応じた設定内容にトイレ装置１の設定を変更する。ここで、所定の動作とは、ユーザによるトイレ装置１に対する動作であって、例えば、ユーザのトイレ装置１への着座や脱座である。
【００５９】
（２）便座装置３は、リモコン装置２に対する所定の動作が実行された場合に、カウント数を現在のカウント数に確定し、その確定したカウント数に応じた設定内容にトイレ装置１の設定を変更する。ここで、所定の動作とは、ユーザによるリモコン装置２に対する動作であって、例えば、通常モードにおける操作ボタン８への操作である。したがって、便座装置３は、リモコン装置２から操作信号を取得した場合には、カウント数を現在のカウント数に確定し、その確定したカウント数に応じた設定内容にトイレ装置１の設定を変更する。
【００６０】
（３）便座装置３は、管理者モードにおいて、操作ボタン８が操作されてから操作ボタン８が操作されない時間が所定時間が経過した場合には、カウント数を現在のカウント数に確定し、その確定したカウント数に応じた設定内容にトイレ装置１の設定を変更する。例えば、便座装置３は、最新の設定信号を取得してから所定時間が経過する間に新たな設定信号を取得しない場合には、カウント数を現在のカウント数に確定し、その確定したカウント数に応じた設定内容にトイレ装置１の設定を変更する。
【００６１】
以下に、本発明の一実施形態に係るトイレシステムＡの全体動作について、図１１を用いて説明する。図１１は、本発明の一実施形態に係るトイレシステムＡの全体動作の流れを示す図である。
【００６２】
まず、リモコン装置２は、操作ボタン８が操作されることで発電部１１が発電すると、その発電部１１で発電された電力を動作電源として起動する。そして、リモコン装置２の制御部１３は、モード切替スイッチ９がオン状態か否かを判定する（ステップＳ１０１）。制御部１３は、モード切替スイッチ９がオン状態である場合には、通常モードとして動作する（ステップＳ１０２）。一方、制御部１３は、モード切替スイッチ９がオフ状態である場合には、管理者モードとして動作する（ステップＳ１０３）。
【００６３】
以下に、通常モードにおけるトイレシステムＡの動作の流れについて説明する。図１２は、本発明の一実施形態に係る通常モードにおけるトイレシステムＡの動作の流れを示すシーケンス図である。
【００６４】
図１２に示すように、リモコン装置２の制御部１３は、操作検出部１０からの検出信号に基づいて、押下操作された操作ボタン８を判別する（ステップＳ２０１）。そして、制御部１３は、その判別した操作ボタン８に応じた操作信号をトイレ装置１に無線送信する（ステップＳ２０２）。そして、トイレ装置１は、制御部１３から操作信号を無線で取得した場合には、その操作信号に応じた機能を実行する（ステップＳ２０３）。
【００６５】
次に、管理者モードにおけるトイレシステムＡの動作の流れについて説明する。図１３は、本発明の一実施形態に係る管理者モードにおけるトイレシステムＡの動作の流れを示すシーケンス図である。
【００６６】
制御部１３は、操作検出部１０からの検出信号を取得すると、設定信号を便座装置３に無線送信する（ステップＳ３０１）。ここで、制御部１３は、通常モードでの動作とは異なり、押下操作された操作ボタン８を判別する必要がない。すなわち、制御部１３は、押下操作された操作ボタン８の種類によらず、複数の操作ボタン８のうち、いずれかの操作ボタン８が押下されたことをきっかけとして設定信号を便座装置３に無線送信する。なお、本実施形態では、制御部１３は、操作ボタン８が押下操作されるごとに設定信号を便座装置３に無線送信する。
【００６７】
便座装置３は、制御部１３から無線送信される設定信号をカウントする（ステップＳ３０２）。
便座装置３は、ステップＳ３０２の処理を継続しながら、制御部１３から設定信号を取得してから（操作ボタン８の操作が行われてから）、便座装置３又はリモコン装置２に対する所定の動作が実行されたか否かを判定する（ステップＳ３０３）。例えば、便座装置３は、制御部１３から設定信号を取得してから、便座装置３への着座や脱座、又は通常モードでのリモコン装置２に対する押下操作を検出した場合には、上記所定の動作が実行されたと判定して、設定信号のカウントを停止する。
【００６８】
一方、便座装置３は、制御部１３から設定信号を取得してから、便座装置３への着座や脱座、又は通常モードでのリモコン装置２に対する押下操作を検出しない場合には、設定信号のカウント処理を継続する。
【００６９】
また、便座装置３は、ステップＳ３０３において、ステップＳ３０２の処理を継続しながら、制御部１３から設定信号を取得してから（操作ボタン８の操作が行われてから）、所定時間が経過するまでに新たな操作信号を取得したか否かを判定する。便座装置３は、制御部１３から設定信号を取得してから所定時間が経過するまでに新たな操作信号を取得しない場合には、設定信号のカウントを停止する。
【００７０】
一方、便座装置３は、制御部１３から設定信号を取得してから、制御部１３から設定信号を取得してから所定時間が経過するまでに新たな操作信号を取得した場合には、カウント数をカウントアップするとともに、設定信号のカウント処理を継続する。
【００７１】
便座装置３は、制御部１３から設定信号を取得してから上記所定の動作が実行された場合又は所定時間が経過するまでに新たな操作信号を取得しない場合には、設定信号のカウントを停止するとともに、現在のカウント数に応じた設定内容にトイレ装置１の設定を変更する（ステップＳ３０４）。なお、便座装置３は、カウント数に応じた設定内容にトイレ装置１の設定を変更した後は、そのカウント数を０にリセットする。
【００７２】
上述したように、本実施形態に係るトイレシステムＡは、リモコン装置２が所定位置から離脱された場合には管理者モードに移行する。例えば、リモコン装置２は、後面側に設けられたモード切替スイッチ９を備え、このモード切替スイッチ９がオン状態からオフ状態に移行した場合には、管理者モードに移行する。これにより、トイレシステムＡは、モード切替スイッチ９がオフ状態である場合には、常に管理者モードとなるため、管理者モードが解除される時間的制約がない。したがって、ユーザにとって使い勝手が良く、ユーザによる操作ミスが減少する。
【００７３】
また、本実施形態に係るトイレシステムＡは、管理者モードにおいて、トイレ装置１若しくはリモコン装置２に対する所定の動作が実行されるまで又は操作ボタン８の操作が行われない時間が所定時間経過するまでの間に、行われた任意の操作ボタン８の操作回数に応じた設定内容にトイレ装置１の設定を変更する。これにより、ユーザは、管理者モードにおいて、操作ボタン８を押下する順番や押下する操作ボタン８の種類を気にせずに、任意の操作ボタン８の押下回数によりトイレ装置１の設定を変更することができる。したがって、ユーザにとって、使い勝手が良く、ユーザによる操作ミスが減少する。
【００７４】
以上、この発明の実施形態について図面を参照して詳述してきたが、具体的な構成はこの実施形態に限られるものではなく、この発明の要旨を逸脱しない範囲の設計等も含まれる。
【００７５】
（変形例１）上記実施形態では、制御部１３は、モード切替スイッチ９がオン状態からオフ状態に移行した場合には、管理者モードに移行したが、本発明はこれに限定されない。すなわち、制御部１３は、リモコン装置２が所定位置（例えば、壁に設置されている位置）から離脱された場合に通常モードから管理者モードに移行すればよく、この所定位置からの離脱を判定する方法として、例えば、上記モード切替スイッチ９を用いてもよいし、赤外線センサを用いてもよい。換言すれば、本発明のトイレシステムＡは、リモコン装置２が所定位置から離脱したことを検出する方法には、特に限定されない。
【００７６】
（変形例２）上記実施形態では、リモコン装置２は、操作ボタン８が操作されることにより発電したが、発電方式には特に限定されない。
【００７７】
（変形例３）上記実施形態では、操作検出部１０がプッシュボタンスイッチである場合について説明したが、本発明はこれに限定されない。例えば、操作検出部１０はプッシュボタンスイッチ等のように機械式のスイッチでもよいし、ホール素子や静電容量式等のスイッチでもよい。
【００７８】
（変形例４）上記実施形態では、モード切替スイッチ９は、リモコン装置２の後面に設けられている場合について説明したが、本発明はこれに限定されない。例えば、モード切替スイッチ９は、リモコン装置２の側面や前面に設けられていてもよい。
【００７９】
（変形例５）上記実施形態のモード切替スイッチ９は、例えば、以下に示す構成を備える。例えば、モード切替スイッチ９は、使用者がモードを切り替えるために操作するモード切替操作部と、モード切替操作部の操作を検出するモード切替操作検出部と、を有している。モード切替操作検出部は、プッシュボタンスイッチ等のように機械式のスイッチでもよいし、ホール素子や静電容量式等のスイッチで構成され、例えば、後側からモード切替操作部に押圧されることで、モード切替操作部の操作を検出するように配置されている。そして、モード切替操作検出部は、検出結果を制御部１３に送信する。制御部１３は、モード切替操作検出部がモード切替操作部の操作を検出している場合には、通常モードとなる。
【符号の説明】
【００８０】
Ａ  トイレシステム
１  トイレ装置
２  リモコン装置
８  操作ボタン（操作部）
９  モード切替スイッチ（スイッチ）
１１  発電部
１３  制御部
【図１】
2019052495.tif 000003
【図２】
2019052495.tif 000004
【図３】
2019052495.tif 000005
【図４】
2019052495.tif 000006
【図５】
2019052495.tif 000007
【図６】
2019052495.tif 000008
【図７】
2019052495.tif 000009
【図８】
2019052495.tif 000010
【図９】
2019052495.tif 000011
【図１０】
2019052495.tif 000012
【図１１】
2019052495.tif 000013
【図１２】
2019052495.tif 000014
【図１３】
2019052495.tif 000015